(57)【要約】【課題】放電線の水平位置の安定性を維持したまま、放電線の切断のリスクを小さくすることができる、電気集塵機用の放電極とすること。【解決手段】電気集塵機用の放電極を、略矩形形状の放電極枠１１と、放電極枠１１内に互いに平行に張設されている複数の放電線１４と、を備えてなり、放電極枠１１は、外枠部１２と、外枠部１２の対面する一組の側辺を連接して、放電線１４に直交する方向に沿って設置されている連結用梁部１３と、を有し、連結用梁部１３には、複数の連結金具１５が、連結用梁部１３に直交する方向にのみ摺動可能な態様で接合されていて、放電線１４は、連結用梁部１３に直交する方向に沿って、複数の導線１４Ａ、１４Ｂ、１４Ｃ、１４Ｄが、連結金具１５を介して連結されて構成されている、放電極１とする。【選択図】図３
2019177365.tif 000002
【特許請求の範囲】
【請求項１】
電気集塵機用の放電極であって、
略矩形形状の放電極枠と、
該放電極枠内に互いに平行に張設されている複数の放電線と、を備えてなり、
前記放電極枠は、外枠部と、該外枠部の対面する一組の側辺を連接して、前記放電線に直交する方向に沿って設置されている連結用梁部と、を有し、
前記連結用梁部には、複数の連結金具が、該連結用梁部に直交する方向にのみ摺動可能な態様で接合されていて、
前記放電線は、前記連結用梁部に直交する方向に沿って、複数の導線が、前記連結金具を介して連結されて構成されている、放電極。
【請求項２】
前記導線の長さが１８００ｍｍ以下であって、３本以上の該導線が、２個以上の前記連結金具を介して連結されて、前記放電線を構成している、請求項１に記載の放電極。
【請求項３】
請求項１又は２に記載の放電極を備える、乾式の電気集塵機。
【発明の詳細な説明】
【技術分野】
【０００１】
本発明は、乾式の電気集塵機に設置される電気集塵機用の放電極、及び、当該放電極を用いた乾式の電気集塵機に関する。
【背景技術】
【０００２】
排ガス中の煤塵や粉塵を除去するためのガス処理装置として、乾式の電気集塵機が知られている（特許文献１参照）。この乾式の電気集塵機は、交互に配置された放電極と集塵極との間に高電圧を印加することにより両極間に荷電帯を形成し、排ガス中のダストを集塵極に吸着させて捕集するものである。
【０００３】
この乾式の電気集塵機の放電極は、通常、複数の放電線の両端を、これを支持する外枠部の内側に張設することにより構成される（特許文献２参照）。このような構造の放電極においては、隣接する放電線同士の接触による短絡を避けるために、各放電線の位置を十分に安定させる必要がある。そのために、個々の放電線には一定以上の張力がかけられている。
【０００４】
ここで、例えば、全長が７．２ｍ程度の長尺の放電線を支持するような大型の放電極を構成する場合、放電線全体に適切な張力をかけて、各放電線の位置の安定性を保つことは困難となる。また、このような長尺の放電線の位置の安定性を十分に高めるために、一定以上の強い張力をかけると、過剰な張力による放電線の切断の危険が高まる。
【０００５】
このような問題を回避するために、外枠部の両側辺間に放電線と直交する方向に梁を設置し、この梁の部分で比較的短い導線を連結することによって、全体として長尺となる放電線を構成することが行われている。一例としては、１．８ｍ程度の４本の放電線を連結して、全長が７．２ｍ程度に及ぶ放電線を構成する例を挙げることができる。
【０００６】
このように比較的短く分割された各放電線の両端は上記の中間の梁の部分でも適切な位置に支持されるため、過剰な張力をかけることなく放電線の位置を安定させることができる。
【０００７】
しかしながら、上記のような、複数の放電線を連結してなる構成の放電極において、分割設置されている個々の放電線全てに均等な張力をかける調整は煩雑且つ困難であり、又、分割されているより多数の放電線のうちの１本のみに、何等かの理由で一時的に強い張力がかかった場合に、当該放電線が切断してしまいやすいという問題が、新たに認識されるに至っていた。
【先行技術文献】
【特許文献】
【０００８】
【特許文献１】特開平７−２４６３４８号公報
【特許文献２】特開２０１７−２１７５８８号公報
【発明の概要】
【発明が解決しようとする課題】
【０００９】
本発明は、複数の放電線が中間の梁の部分で連結されていることにより各放電線の水平位置の安定性が保たれている構造の放電極において、この放電線の水平位置の安定性を維持したまま、これらの放電線の切断のリスクを小さくすることができる、電気集塵機用の放電極とすることを目的とする。
【課題を解決するための手段】
【００１０】
本発明者らは、放電線を張設する外枠部の中間部に設けた梁部に、放電線の向きと平行な方向にのみ摺動可能に連結金具を接合し、この連結金具によって複数の導線が連結された放電線を構成することにより、上記課題を解決することができることを見出し、本発明を完成するに至った。具体的には、本発明は以下のものを提供する。
【００１１】
（１）  電気集塵機用の放電極であって、略矩形形状の放電極枠と、該放電極枠内に互いに平行に張設されている複数の放電線と、を備えてなり、前記放電極枠は、外枠部と、該外枠部の対面する一組の側辺を連接して、前記放電線に直交する方向に沿って設置されている連結用梁部と、を有し、前記連結用梁部には、複数の連結金具が、該連結用梁部に直交する方向にのみ摺動可能な態様で接合されていて、前記放電線は、前記連結用梁部に直交する方向に沿って、複数の導線が、前記連結金具を介して連結されて構成されている、放電極。
【００１２】
（１）の発明によれば、各々の放電線の水平位置の安定性は十分に維持しながら、放電線の一部のみに一時的に強い張力がかかった場合であっても、放電線の切断のリスクを十分に抑制することができる放電極を得ることができる。
【００１３】
（２）  前記導線の長さが１８００ｍｍ以下であって、３本以上の該導線が、２個以上の前記中間連結金具を介して連結されて、前記放電線を構成している、（１）に記載の放電極。
【００１４】
（２）の発明によれば、例えば、放電線の総長さが５０００ｍｍを超えることとなるような、大型の放電極であって、特に放電線の水平位置の安定性と切断のリスクの抑制の両立が難しい放電極において、（１）の発明の有利な効果を享受して、安全性と耐久性に優れる放電極を得ることができる。
【００１５】
（３）  （１）又は（２）に記載の放電極を備える、乾式の電気集塵機。
【００１６】
（３）の発明によれば、（１）又は（２）の発明の有利な効果を享受して、安全性と耐久性に優れる電気集塵機を得ることができる。
【発明の効果】
【００１７】
本発明によれば、複数の放電線が中間の梁の部分で連結されていることにより各放電線の水平位置の安定性が保たれている構造の放電極において、この放電線の水平位置の安定性を維持したまま、これらの放電線の切断のリスクを小さくすることができる、電気集塵機用の放電極とすることができる。
【図面の簡単な説明】
【００１８】
【図１】本発明の放電極を備える電気集塵機の斜視図であり、内部構成を含む全体構成の説明に供するためにその一部を透視図としたものである。
【図２】本発明の放電極の正面図である（但し、放電線の一部のみを示し、他の放電線の図示は省略している）
【図３】本発明の放電極の放電線を構成する導線同士の連結部分の拡大図である。
【発明を実施するための形態】
【００１９】
以下、乾式の電気集塵機において適用される本発明の放電極、及び、この放電極を備える乾式の電気集塵機について、適宜、図面を参照しながら説明する。
【００２０】
＜電気集塵機＞
本発明の放電極の設置を想定する電気集塵機は、電気集塵によって排ガスからダストを除去する集塵装置である。電気集塵とは静電気力を応用した集塵方式であり、放電極に高電圧が印加され集塵極との間に電界を形成すると共に、コロナ放電により放電極の周囲のガスを電離してイオンを供給する。この状態で、放電極と集塵極の間に煙霧体粒子であるダストを含むガスを流すと、ガス中に含まれるダストはイオンによって帯電する。帯電したダストは集塵極に付着しこれらが捕集される。本発明の放電極は、このような乾式の電気集塵機に特段の限定なく汎用的に用いることができる。但し、本発明の放電極は、放電線の総長さが５ｍ以上となる大型の電気集塵機に、特に好ましく用いることができる。
【００２１】
［全体構造］
図１は、本発明の放電極１を用いてなる乾式の電気集塵機１０の全体構造を示す斜視図である。この電気集塵機１０は、放電極１と集塵極２とが交互に配置されている複数の箱状の集塵室を備える。放電極１を設置する電気集塵機のサイズは特段限定されないが、好ましい一例として、ダストを含有する排ガスＧ１を導入する排ガス入口部４から、ダストが除去された排ガスＧ２を排出する排ガス出口部５に向けて並置される３室の集塵室において、各室毎に概ね、巾５ｍ、高さ８ｍ程度の放電極１が１０枚ずつ程度配置されている集塵機を例示することができる。なお、これらの各極に印加する電圧は、通常５０ｋＶ以上７０ｋＶ以下程度であり、各極に流れる電流は、通常、１００ｍＡ以上２００ｍＡ以下程度である。
【００２２】
図１に示すように、通常、電気集塵機の排ガス入口部４は、電気集塵機１０の本体内部に向けて急激に開かれた形状とされている。一方、排ガス出口部５は電気集塵機１０の本体内部から外部に向けて急激に絞られた形状とされている。これは、電気集塵機１０においては、通常、集塵室内を通過する排ガスの流速は排ガス入口部４の煙道内における流速よりも低速であることが好ましいからである。集塵室内を通過する排ガスの速度を適切に抑制することにより、集塵極２へのダストの付着を促進することができる。また、この排ガス速度の抑制により、集塵室下方のホッパー６へ落下させるべきダストが、電気集塵機１０から排出されるダスト除去済の排ガスＧ２中へ散逸することを防止することもできる。
【００２３】
電気集塵機１０には、図１に示すように、一般的に、排ガス入口部４の側の集塵室の入口端近傍に、格子状のスリットを有する整流板３Ａが配置される。この整流板３Ａの整流効果により、排ガスの偏流及び渦流を抑制することができる。また、電気集塵機１０においては、排ガス出口部５でも、排ガスの偏流や渦流が発生しやすく、それが集塵室内のガス流へ影響をおよぼすことがある。これを防止するためには、排ガス出口部５の側の集塵室の出口端近傍に整流板３Ｂを配置することが有効である。
【００２４】
集塵極２に捕集されたダストは、ハンマー等の槌打装置（図示せず）により、間欠的に叩き落される。槌打装置は、集塵極２に機械的衝撃を与えることができる手段であれば特定の手段に限定されないが、回転式のハンマー等を好ましい例として挙げることができる。また、この槌打装置は、所定の時間間隔で自動的に作動する制御手段を更に備える自動槌打装置であることがより好ましい。
【００２５】
整流板から叩き落とされたダストは、電気集塵機１０の下部に設けられるホッパー６に集められる。集められたダストは、その後、ロータリーバルブやフローコンベア等で切出して掻き出すことにより、電気集塵機１０の外部に排出される。
【００２６】
［放電極］
本発明の電気集塵機用の放電極１は、図２に示す通り、略矩形形状の放電極枠１１と、放電極枠１１内に、複数の放電線１４が、互いに平行に張設されて構成されている。そして、各々の放電線１４は、連結用梁部１３において放電線の向きと平行な方向にのみ摺動可能な態様で接合されている連結金具１５によって連結されている複数の導線１４Ａ、１４Ｂ、１４Ｃ、１４Ｄによって構成されていることを特徴とする。
【００２７】
放電極枠１１は、ステンレス製の鋼材等で構成され、外枠部１２と、外枠部１２の対面する一組の側辺を連接して、放電線１４に直交する方向に沿って設置されている連結用梁部１３（１３Ａ、１３Ｂ、１３Ｃ）を有する。連結用梁部１３の左右の両端部は、外枠部１２の対向する一組の側辺にそれぞれ固定されている。固定手段としては強固な固定が可能で、なお且つ、補修時には格子板の部分交換が容易なボルト締めが好ましい。
【００２８】
また、それぞれの連結用梁部１３には、放電線１４の本数に対応する数の連結金具１５（１５Ａ、１５Ｂ、１５Ｃ）が、放電線の張設位置に合わせて、連結用梁部１３に直交する方向（図３におけるａ方向又はａ’方向にのみ摺動可能な態様で接合されている。
【００２９】
連結金具１５は、その両端に放電線１４を構成する各導線１４Ａ、１４Ｂ、１４Ｃ、１４Ｄを安定して繋ぐことが可能な形状金具であれば特定の形状のものに限定されないが、図３に示すように軸部１５２の両端にフック形状の連結部１５１を有する金属部材を好ましく用いることができる。また、連結金具１５（１５Ａ、１５Ｂ、１５Ｃ）の軸部１５２の中央寄りの部分で、連結用梁部１３と接触することが想定される部分については、絶縁カバー１５３で絶縁被覆されていることが望ましい。
【００３０】
連結用梁部１３と連結金具１５との接合態様については、例えば連結用梁部１３をアングル材で形成し、アングル材の水平面に連結金具１５の軸部１５２が適度に摺動可能な大きさの貫通孔である連結金具支持孔１３１を形成して、この貫通孔に連結金具１５の軸部１５２を通すことによって形成することができる。
【００３１】
但し、上記の接合態様について、更には、連結金具１５を連結用梁部１３に直交する方向（図３におけるａ方向又はａ’方向）にのみ摺動させ、それ以外の方向への動きを抑制する構造を追加することがより好ましい。そのような構造の具体例としては、例えば、アングル材の水平面上に断面山型の鋼材を追加して一の連結金具支持孔１３１の直上に第２の連結金具支持孔１３１を設けるか、或いは、アングル材を断面コの字型の鋼材にする等して、放電線１４の向きに沿って直列配置される２つの連結金具支持孔１３１を設け、連結金具１５の軸部１５２を、このように形成された直列する２つの連結金具支持孔を通す構造とすることによって、連結金具１５を連結用梁部１３に直交する方向（図３におけるａ方向又はａ’方向）にのみ摺動させ、他の方向への位置変動をより確実に抑止する構造とする例を挙げることができる。
【００３２】
放電線１４は、導線１４Ａ、１４Ｂ、１４Ｃ、１４Ｄが連結金具１５を介して連結されて、外枠部の上下を結ぶ一連の導線として張設されている。これらの導線１４Ａ、１４Ｂ、１４Ｃ、１４Ｄは、従来、乾式集塵機の放電極において放電線を構成する導線として用いられている各種の導線部材を用いることができる。例えば、ステンレス製の導線を芯線とし、その芯線に鉛の被覆が施されてなる鉛被覆通電線を好ましい導線の一例として挙げることができる。芯線を構成するステンレスとしては、マルテンサイト系、フェライト系、オーステナイト系等のステンレスを使用することができる。例えば、ＳＵＳ４０３、ＳＵＳ４１０、ＳＵＳ４３０、ＳＵＳ４０５、ＳＵＳ４０９、ＳＵＳ３０３、ＳＵＳ３０４等を適宜選択することができる。
【００３３】
放電極１においては、放電線１４を構成する各々の導線１４Ａ、１４Ｂ、１４Ｃ、１４Ｄを連結する各々の連結金具１５Ａ、１５Ｂ、１５Ｃは、上述の通り、放電線１４の向きと平行な方向以外の方向への変動は抑止されている。よって、各々の放電線１４の水平位置は高い安定性で保持される。
【００３４】
一方、何等かの事情で、鉛直方向に沿って張設されている複数の放電線１４のいずれかの部分において通常よりも大きな張力がかかった場合、連結金具１５が応力を緩和する程度に鉛直方向には摺動するため、放電極１においては、そのような場合における放電線の切断のリスクも有意に低減されている。
【００３５】
また、電気集塵機１０の稼働中には、上述の集塵極２への槌打と同様の態様で、放電極１にもダスト除去を目的とした槌打が適宜行われる。この槌打の衝撃によって放電線１４の突発的な位置変位が引き起こされ、放電線１４が集塵極２に接触してしまうリスクが生じる場合がある。本発明の放電極枠１１のように、放電線を１本の長い導線ではく、例えば１８００ｍｍ以下程度の複数の導線（１４Ａ、１４Ｂ、１４Ｃ、１４Ｄ）を連結した構成とすることにより、上記の放電線の変位幅を抑制して、放電線１４と集塵極２との接触のリスクを十分に下げることができる。なお、張り替え作業の負担等を考慮すると、一連の放電線を構成するために連結される導線の数は３〜４本程度が適当である。
因みに、導線（１４Ａ、１４Ｂ、１４Ｃ、１４Ｄ）は、材料入手の容易性の観点からも１８００ｍｍ以下であることが好ましいが、このような制約の下でも、本発明によれば、安全性及び耐久性に優れる放電極を、従来よりも制約の少ない設計条件の下でより自在に様々なサイズで製造することができる。
【００３６】
＜排ガスからの集塵方法＞
本発明の放電極１を備える乾式の電気集塵機１０は、一例として、鉄鋼ダスト等の亜鉛含有鉱を還元焙焼して粗酸化亜鉛を得る酸化亜鉛焼鉱の製造プロセスにおいて好ましく用いることができる。
【００３７】
上記製造プロセスにおいては、先ず還元焙焼工程において鉄鋼ダストを還元焙焼用のロータリーキルン（ＲＲＫ）によって還元焙焼する処理が行われる。この工程では、ＲＲＫ炉内で鉄鋼ダスト由来の原材料は還元焙焼されて、揮発した金属亜鉛は炉内で再酸化されて粉状の酸化亜鉛となる。同工程に続く湿式工程においては、還元焙焼工程で得た粗酸化亜鉛に含有されるフッ素等の不純物を処理液中に分離抽出し、更に固液分離処理によって、粗酸化亜鉛ケーキを得る湿式処理が行われる。
【００３８】
引き続き行われる乾燥加熱工程において、上記の湿式工程で得た粗酸化亜鉛ケーキを、乾燥加熱用のロータリーキルン（ＤＲＫ）に投入して焼成することにより、ハロゲン濃度を更に低減させつつ、高品位の酸化亜鉛鉱を製造する乾式処理を行う。ここで、上述したＲＲＫからの排出ガスから粗酸化亜鉛を捕捉する集塵機として、本発明の電気集塵機１０を好ましく用いることができる。
【符号の説明】
【００３９】
１                                放電極
１１                              放電極枠
１２                              外枠部
１３（１３Ａ、１３Ｂ、１３Ｃ）    連結用梁部
１３１                            連結金具支持孔
１４                              放電線
１４Ａ、１４Ｂ、１４Ｃ、１４Ｄ    導線
１５                              連結金具
１５１                            連結部
１５２                            軸部
１５３                            絶縁カバー
２                                集塵極
３Ａ、３Ｂ                        整流板
４                                排ガス入口部
５                                排ガス出口部
６                                ホッパー
１０                              電気集塵機
Ｇ１                              ダストを含有する排ガス
Ｇ２                              ダストが除去された排ガス
【図１】
2019177365.tif 000003
【図２】
2019177365.tif 000004
【図３】
2019177365.tif 000005